(57)【特許請求の範囲】
【請求項１】
剥離紙を使用したテープの貼付方法において、前記テープを被貼着面に向かって引き出すようにし、接着テープを貼付ロールの外周面に沿わせながら前記被貼着面に貼着させると共に、剥離した前記剥離紙を前記被貼着面と前記貼付ロールとの間で該貼付ロールの外周面に沿わせた前記接着テープとは反対方向に曲げて、前記貼着ロールを前記剥離紙側に移動させ、前記剥離紙の剛性力により前記剥離紙の曲げを連続的に再現しながら前記接着テープを剥離させて該接着テープを前記被貼着物に貼着させることを特徴とするテープ貼付方法。
【請求項２】
上記請求項１に記載のテープ貼付方法に用いられるテープ貼付装置であって、本体に、テープの剥離紙側の面をテープの引き出し方向に案内する案内面を設け、前記本体の案内面に沿ってテープの引き出し方向に、テープ押え部と貼付ロールを順に設け、前記案内面で案内された前記テープに対して前記案内面から前記貼付ロールの移動方向側の外周面へ向けて延びる前記テープが前記貼付ロールの移動方向側へ屈曲されるように前記貼付ロールを配置し、接着テープが前記貼付ロールの外周面に沿って前記被貼着面に貼付され、前記剥離紙が前記被貼着面と前記貼付ロールとの間で剥離されて前記接着テープとは反対方向に曲げられることを特徴とするテープ貼付装置。
【請求項３】
前記本体の案内面にそって引き出される前記テープの幅方向にテープカッター刃を設け、該テープカッター刃を挟むように前記テープカッター刃の幅方向両端側に前記テープの縁を突き刺して固定するための針を設け、該針の先端をテープカッター刃の刃の高さよりも高く、該テープカッター刃および針を前記本体の案内面から出没可能に設けたテープカッター部を有することを特徴とする請求項２記載のテープ貼付装置。
【発明の詳細な説明】
【０００１】
【産業上の利用分野】
本発明は伸縮性および柔軟性に富んだ接着テープでも、被貼着物への貼付が可能なテープ貼付方法およびその装置に関するものである。
【０００２】
【従来の技術】
剥離紙を用いた従来のテープ貼付装置として実開昭５８−５９７１２号公報および実開昭５８−１３０９１３  号公報に開示されたものがある。その概略を図１０に示して説明すると、この装置はラベルを貼りつけるための装置であって、所定の長さに切断されたラベル２が剥離紙１に貼着されているテープ３を使用しており、このテープ３をガイド部材８およびガイドローラ４を介して剥離ロール６にて、剥離紙１を小さい半径で折り曲げることにより、ラベル２を剥離するようにしている。
【０００３】
すなわち、外周面に針を植設した針ロール７に引っかけて剥離紙１を引き出すことにより剥離紙１に引っ張り力を与え、この剥離紙１の引っ張り力を利用してテープ３を引き出すと共に、剥離紙１を剥離ロール６にて折り曲げてラベル２を剥離するようにしている。そしてこのように剥離したラベル２は貼付ロール９にて被貼付物に貼着されるようになっている。
【０００４】
また、特開平５−３３８６２７号公報には接着テープ貼付装置が開示されており、その概要を図１１に示して説明する。この装置は剥離紙１に接着テープ１０を貼りつけたテープ３を使用しており、このテープ３を被貼着物の貼着面に平行なテープ摺動台１１の案内面１２に案内させて引き出す途中で、テンションボール１３によりテープ３の引き出しに抵抗を与えながらテープ摺動台１１を矢印方向に移動して、被貼着物１４に接着テープ１０を貼りつける。これにより、接着テープ１０に張力を与えて摺動台１１の先端部で接着テープ１０を小さな半径で折り曲げながら、剥離紙１を被貼着物１４の貼着面に平行に剥離するようにしている。
【０００５】
【発明が解決しようとする課題】
上記従来例はいずれも剥離紙または接着テープに張力を与えてテープを引き出すと共に、剥離紙または接着テープを小さな半径で折り曲げて、剥離紙と接着テープとを分離するようにしているので、次のような問題がある。
【０００６】
上記従来例にあっては、ラベルや接着テープのように引っ張り力または剛性力の強いものに対しては有効であるが、引っ張り力が殆どゼロで、かつ、それ自体の剛性力が殆どゼロであるガム状のものを、剥離紙の上に薄く伸ばしたテープ、例えばシ−リングテ−プ、ガム状テープ、ドライフィルムテープ、ホットメルト型テープなど（以下便宜上この種のテープをガム状テープという）を被貼着物に貼着することができない。すなわち、このようなガム状のテープはそれ自体を引っ張ることができないのは勿論であるが、剥離紙を小さな半径で折り曲げても、テープ自体に剛性力がなく、いわゆる接着テープに腰がないので、剥離紙の曲がりに倣って接着テープ自体も剥離紙に貼り付いたまま曲がり、剥離紙をいくら小さな半径で曲げても、剥離紙と接着テープとを分離することができないという問題がある。
【０００７】
本発明は接着テープが例えガム状テープであっても、剥離紙から接着テープを剥離しながら、接着テープを被貼着物に貼着することができるテープ貼付方法および装置を提供するものである。
【０００８】
【課題を解決するための手段】
上記課題を解決するための本発明にかかわる手段は、剥離紙を使用したテープの貼付方法において、テープを被貼着面に向かって引き出すようにし、接着テープを貼付ロールの外周面に沿わせながら被貼着面に貼着させると共に、剥離した剥離紙を被貼着面と貼付ロールとの間で該貼付ロールの外周面に沿わせた接着テープとは反対方向に曲げて、貼着ロールを剥離紙側に移動させ、剥離紙の剛性力により剥離紙の曲げを連続的に再現しながら接着テープを剥離させて該接着テープを被貼着物に貼着させることを特徴とする。
【０００９】
上記方法を実施するための装置として、本体に、テープの剥離紙側の面をテープの引き出し方向に案内する案内面を設け、本体の案内面に沿ってテープの引き出し方向に、テープ押え部と貼付ロールを順に設け、案内面で案内されたテープに対して案内面から貼付ロールの移動方向側の外周面へ向けて延びるテープが貼付ロールの移動方向側へ屈曲されるように貼付ロールを配置し、接着テープが貼付ロールの外周面に沿って被貼着面に貼付され、剥離紙が被貼着面と貼付ロールとの間で剥離されて接着テープとは反対方向に曲げられることを特徴とする。
【００１０】
またこの装置は、本体の案内面にそって引き出されるテープの幅方向にテープカッター刃を設け、該テープカッター刃を挟むようにテープカッター刃の幅方向両端側にテープの縁を突き刺して固定するための針を設け、該針の先端をテープカッター刃の刃の高さよりも高く、該テープカッター刃および針を本体の案内面から出没可能に設けたテープカッター部を有することを特徴とする。
【００１１】
【作用】
本発明はこのように構成したので次の通りの作用がある。すなわち、テープを被貼着面に向かって引き出すことにより、接着テープに引っ張り力をかけないようにして接着テープを貼付ロールの外周方向に曲げると共に、剥離した剥離紙を貼着面と貼付ロールとの間で貼着ロールの外周面から離れる方向に曲げることが可能となる。これにより、テープの引き出し力によって剥離紙を被貼着面に押しつけ、接着テープとは逆の方向に剥離紙を曲げ、接着テープに張力がかからないようにして、剥離紙から接着テープを剥離する。そして、貼着ロールを剥離紙側に移動させることにより、テープの剥離紙に張力を与えるようにしてテープを引き出しながら、剥離紙の剛性力で前記剥離紙の曲げを連続的に再現して接着テープを剥離し、接着テープを被貼着物に貼着することが可能となる。
【００１２】
また装置は本体の案内面にそってテープの引き出し方向に、テープ押え部と貼付ロールを順に設けたので、案内面にそって引き出されたテープを被貼着面に向かって引き出すことが可能となる。そして、案内面で案内されたテープに対して案内面から貼付ロールの移動方向側の外周面へ向けて延びるテープが貼付ロールの移動方向側へ屈曲されるように貼付ロールを配置し、接着テープが貼付ロールの外周面に沿って被貼着面に貼付され、剥離紙が被貼着面と貼付ロールとの間で剥離されて接着テープとは反対方向に曲げられるので、テープを引き出す時の張力をテープの剥離紙にかけるようにして、テープは被貼着面に向かって引き出される。
【００１３】
そして、本体の案内面に対して出没可能に、テープの縁を突き刺して固定する針を備えたテープカッター刃を設けることにより、例えガム状の接着テープであってもそのテープを固定し、テープカッター刃で突き切るようにして切断することができる。
【００１４】
【実施例】
以下、本発明の一実施例について説明する。先ず、方法を実施するための装置について説明する。図１において、本体１５には貼付ロール１７の軸１６を回動中心として回動するカバー１８が設けられている。このように、カバー１８を回動可能にして本体１５の案内面  １５２（図５参照）を解放することにより、本体１５へのテープの装着を容易にしている。カバー１８にはノブ  １８２により回動可能なようにテープ押え板  １８１が設けられており、図３に示すように、本体１５に設けられた係止凹部  １５１にテープ押え板  １８１の両端が係止されるようになっている。そして、このテープ押え板  １８１の幅Ｗ１は図５に示すように、本体１５のテープガイド幅Ｗ２よりも狭くなっているので、ノブ  １８２によってテープ押え板  １８１を回動することにより、係止凹部  １５１の係止を解除し、カバー１８を開くことができるようになっている。
【００１５】
一方本体15には図１および図３に示すようにガイド孔21が設けられており、このガイド孔21には出没可能に摺動子20が嵌入されている。そして、この摺動子20は圧縮バネ22によって常時本体15のガイド面 152から突出するようになっており、この突出量は軸23によって規制されるようになっている。このように摺動子20を案内面 152から突出させることにより、カバー18を閉めた時に圧縮バネ22をわずかに押し縮めながら、テープ押え板 181が摺動子20に当接し（図５も参照）、本体15の案内面 152とカバー18の裏面 183との間に間隙を形成して、テープは摺動子20とテープ押え板 181のみで軽く挟持されるようになっている。また、このテープの挟持は摺動子20の平面とテープ押え板 181の平面との間で行われるので、テープ自体は曲げられることなく、かつ、局部的な押圧力をテープに与えないようにして、接着テープが例えガム状テープであっても接着テープに影響を与えないようにして挟持し、テープを軽い力で引き出せるようにしている。
【００１６】
また、図１および図５に示すように、本体１５には摺動子２０と貼付ロール１７との間に位置して、テープカッター部２４が設けられている。このテープカッター部２４は図４および図５に示すように、本体１５に設けられたガイド溝２５および２６にガイドされて移動する枠体  ２４１が設けられており、その一端にカッター刃ホルダ  ２４２が固定されていて、このカッター刃ホルダ  ２４２にはカッター刃  ２４３と針  ２４４が設けられている。
【００１７】
このカッター刃  ２４３と針  ２４４は図７に示すように、カッター刃  ２４３を構成している刃  ２４５は傾斜した刃になっており、中央部において刃  ２４５を背中合わせにして刃先が三角形状に尖った形になっており、この中央部の刃先を中心にしてその両側に刃  ２４５の刃の傾斜を対称形にして配設し、針  ２４４はカッター刃  ２４３を構成している両端の刃  ２４５から寸法Ｗ３だけ内側になるように植設されている。そして、針  ２４４の高さはカッター刃  ２４３の刃先よりも寸法Ｈだけ高くなっており、図８に示すようにカッター刃  ２４３の両側に針  ２４４が配設されている。
【００１８】
このように、カッター刃  ２４３と針  ２４４を配設した刃でテープを切断した場合に、図９に示すように針  ２４４にて剥離紙  ２７１を接着テープ  ２７２の両側に突き刺してテープ２７を固定し、剥離紙２７１  の両側にＷ４の非切断部を残して接着テープ  ２７２をカッター刃  ２４３で切断することになる。このように剥離紙  ２７１の両側に非切断部を残して接着テープ  ２７２を切断することにより、次に被貼着物への貼着開始時における、接着テープ  ２７２の切断端と剥離紙  ２７１との剥離を容易にすると共に、剥離紙  ２７１の引きちぎりを容易にすることができるようになっている。
【００１９】
また、剥離紙  ２７１に針  ２４４を突き刺して剥離紙  ２７１を固定し、剥離紙  ２７１側から刃  ２４５の刃先を突き刺すようにして切断することにより、剥離紙  ２７１に貼着されているガム状の接着テープ  ２７２でもその切断が可能になる。図９において、テープ２７は剥離紙  ２７１の幅に対して、接着テープ  ２７２の幅が狭くなっており、また接着テープ  ２７２がガム状であって引っ張り力および剛性力がほとんどゼロの場合には、更に接着テープ  ２７２の上に別の剥離紙を乗せて接着テープ  ２７２を剥離紙でサンドイッチ状にし、テープ２７を引き出す時の接着テープ  ２７２の引っ張り力を補うようにしている。この場合に、接着テープ  ２７２の上に貼着される剥離紙の幅は針  ２４４が刺さらない程度に、剥離紙  ２７１よりも狭い幅になっている。
【００２０】
また、図１および図２に示すように、枠体  ２４１の一端には取り付け部材２８を介して、棒材２９が取りつけられておりノブ  ２９１を持って押すことにより、枠体  ２４１をガイド溝２５および２６（図５）に案内させて移動し、テープカッター部２４をカバー１８側に付き出すようになっている。そして、テープカッター部２４の付き出し移動量を規制して、図９で説明したＷ４の非切断部が残るようにするために、取り付け部材２８が当接するストッパ部３１が本体１５に設けられている。
【００２１】
３０はマグネットであり、枠体  ２４１の端部を吸着するようにして、ノブ  ２９１を押さない限りテープカッター部２４が突出しないようにしている。また、図１に示すようにカバー１８にはカッター刃  ２４３および針  ２４４が挿入可能なように、孔  １８４および  １８５があけられており、図９におけるテープ２７を切断する時には、テープ押え板  １８１と摺動子２０とでテープ２７を挟持し、かつ、テープ２７をカバー１８の裏面  １８３に押しつけるようにして、針  ２４４を剥離紙  ２７１に突き刺して固定した後に、カッター刃  ２４３で接着テープ  ２７２を切断するようにしている。
【００２２】
また、図１に示すようにテープ押え板  １８１と摺動子２０とでテープを挟持するテープ挟持部、テープカッター部２４および貼付ロール１７がテープ２７の引き出し方向に順に配置されており、貼付ロール１７は図６に示すように、本体１５の案内面  １５２に対して貼付ロール１７の中心が、本体１５の移動方向に寸法Ｌ１だけずれるようにしている。あるいは、中心をずらせる代わりに貼付ロール１７の直径を大きくして、図６に示す寸法Ｌ１′としてもよい。このように、貼付ロール１７の中心（外周面）をずらすのは、接着テープ  ２７２が貼付ロール１７の外周に接触する円弧長さＬ２を長くし、かつ、テープ２７が貼付ロール１７の外周に接触する円弧長さＬ３を確保して、テープ２７を引き出す時に円弧長さＬ３の部分におけるテープ２７の剥離紙  ２７１に引っ張り力をかけるようにし、接着テープ  ２７２に引っ張り力がかからないようにするためである。
【００２３】
そして、ガイド１９から入れられたテープ２７が被貼着面１４に向かって引き出されるようになっている。図１および図５において３２はガイド部材であり、図１に示すように被貼着物１４の側面にそって、貼付ロール１７を案内し被貼着物１４の所定の位置に接着テープ  ２７２が貼着されるようになっている。このガイド部材３２はつまみ３３によって本体１５に着脱自在になっており、例えば平板の中央部に接着テープ２７２を貼着するような場合に、このガイド部材３２を取りはずした状態で接着テープ  ２７２を貼着する。
【００２４】
次に、この装置を用いた接着テープの貼着方法について説明する。図１において、カバー１８を１８′のように開いてテープ２７をガイド１９から貼付ロール１７のところまで載せた状態で摺動子２０を押しながらカバー１８を閉め、ノブ  １８２によりテープ押え板  １８１を回動し、テープ押え板  １８１の両端を係止凹部  １５１に係止する。これにより、テープ２７は曲げられることなくテープ押え板  １８１と摺動子２０との間で挟持され、接着テープ  ２７２が例えガム状テープであっても、接着テープ  ２７２に変形などの影響を与えないようにして、テープ２７を軽い力で引き出すことができる。
【００２５】
次に図６に示すように、最初の段階においてテープ２７を被貼着面１４に向かって引き出し、接着テープ  ２７２を剥離紙  ２７１から手作業によって剥離することにより、テープ２７の接着テープ  ２７２を貼付ロール１７に沿わせて曲げ、一方剥離紙  ２７１を貼付ロール１７と被貼着面１４との間で曲げることができる。このように、接着テープ  ２７２を貼付ロール１７の外周により、貼付ロール１７の外周方向に強制的に曲げ、一方剥離紙  ２７１の弾性力を利用して剥離紙  ２７１を貼付ロール１７の外周から離れる方向に曲げることにより、接着テープ  ２７２が例えガム状テープであっても、剥離紙  ２７１を接着テープ  ２７２から剥離することができる。
【００２６】
また、この剥離はテープ２７を被貼着面１４に向かって引き出すことにより、剥離紙  ２７１を被貼着面１４に押しつけるようにして、剥離紙の弾性力によって剥離紙  ２７１が接着テープ  ２７２とは反対方向に曲げられるので、接着テープ  ２７２が剥離紙  ２７１から剥離するときに接着テープ  ２７２にはまったく力が働かず、例えガム状の接着テープ  ２７２であっても接着テープ  ２７２を変形させることなく剥離することができる。また、テープ２７の引き出しは貼付ロール１７を矢印方向に移動して貼付ロール１７を回転することにより行われるので、テープ２７の引き出し量と接着テープ  ２７２が被貼着面１４に貼着される量とが等しくなり、接着テープ  ２７２にまったく引っ張り力が働かず、例えガム状の接着テープ  ２７２であっても変形することはない。そして、図１に示すようにガイド部材３２を被貼着面１４に沿わせながら貼付ロール１７を矢印（図６）の方向に移動することにより、接着テープ  ２７２を貼付ロール１７により被貼着面１４に圧接して、接着テープ  ２７２を被貼着面１４に貼着することができる。
【００２７】
また、図６に示すように貼付ロール１７の中心を案内面  １５２から寸法Ｌ１だけずらした状態で矢印方向に移動することにより、貼付ロール１７が回転し、かつ、テープ２７は貼付ロール１７の外周に円弧長さＬ３の部分で接触し、テープ押え板  １８１と摺動子２０とで挟持されている挟持力に相当する張力をテープ２７の剥離紙  ２７１にかけるようにしてテープ２７を引き出すので、接着テープ  ２７２にまったく引っ張り力を与えないようにして、テープ２７を被貼着面１４に向かって引き出すことができる。そして、接着テープ  ２７２を貼付ロール１７の外周面に沿わせながら接着テープ  ２７２を小さな半径で曲げないようにして、接着テープ  ２７２を被貼着面１４に貼着することができる。
【００２８】
このように、接着テープ  ２７２に引っ張り力をかけないようにして、接着テープ２７２を貼付ロール１７の外周方向に曲げると共に、剥離した剥離紙  ２７１の剛性力を利用して剥離紙  ２７１を被貼着面１４に押しつけ、貼着面１４と貼付ロール１７との間で貼付ロール１７の外周面から離れる方向に曲げた状態で、貼付ロール１７を剥離紙  ２７１側（図６の矢印方向）に移動することにより、接着テープ  ２７２に張力がかからないようにして、テープ２７を引き出しながら、剥離紙  ２７１の剛性力で前記剥離紙２７１の曲げを連続的に再現して接着テープ  ２７２を剥離し、接着テープ  ２７２を被貼着物１４に貼着することができる。
【００２９】
上記説明はガム状テープを対象にして行ったが、このようなガム状テープでも剥離紙  ２７１から接着テープ  ２７２を剥離しながら被貼着面１４に貼着できることから、通常のラベルや剛性力がある接着テープへの適用が可能であることはいうまでもない。
【００３０】
【発明の効果】
以上詳述した通り本発明によれば、接着テープに引っ張り力をかけないようにしてテープを被貼着面に向かって引き出し、接着テープを貼付ロールの外周方向に曲げると共に、剥離した剥離紙を被貼着面に押しつけるようにして、被貼着面と貼付ロールとの間で該貼付ロールの外周面に沿わせた接着テープとは反対方向に曲げ、接着テープに張力がかからないようにして、剥離紙から接着テープを剥離するようにしたので、例え接着テープがガム状のテープであっても剥離紙から剥離することができる。そして、貼着ロールを剥離紙側に移動させることにより、テープの剥離紙に張力を与えるようにしてテープを引き出しながら、剥離紙の剛性力で前記剥離紙の曲げを連続的に再現して接着テープを剥離し、接着テープを被貼着物に貼着するので、接着テープが例えガム状のものであっても、被貼着面に確実に貼着することができる。
【００３１】
また、本体の案内面にそってテープの引き出し方向に、テープ押え部と貼付ロールを順に設けることにより、案内面にそって引き出されたテープを被貼着面に向かって引き出すことができるので、接着テープを貼付ロールの外周面にそって曲げると共に、剥離紙を被貼着面に押しつけるようにして逆方向に曲げて、接着テープを剥離紙から剥離することができる。そして、案内面で案内されたテープに対して案内面から貼付ロールの移動方向側の外周面へ向けて延びるテープが貼付ロールの移動方向側へ屈曲されるように貼付ロールを配置し、接着テープが貼付ロールの外周面に沿って被貼着面に貼付され、剥離紙が被貼着面と貼付ロールとの間で剥離されて接着テープとは反対方向に曲げられるので、接着テープにテープ引き出しの張力を殆ど与えないようにして、テープを引き出すことができ、接着テープが例えガム状のテープであっても、確実に貼着することができる。
【００３２】
また、本体の案内面にそって引き出されるテープの幅方向に設けたテープカッター刃を挟むようにテープカッター刃の両端側にテープの縁を突き刺して固定するための針を設け、この針の先端をテープカッター刃の刃の高さよりも高くし、本体の案内面から出没可能にしたので、例えガム状の接着テープであってもそのテープを針で固定し、テープカッター刃を接着テープに突き刺すようにして切断することができる。
【図面の簡単な説明】
【図１】本発明の一実施例を示す縦断面図である。
【図２】図１の左側面図である。
【図３】図１のＡ−Ａ線における縦断面図である。
【図４】図１のＢ−Ｂ線における縦断面図である。
【図５】図１のカバーを外した平面図である。
【図６】図１における貼付ロール部の部分拡大図である。
【図７】図１におけるカッター部の部分拡大図である。
【図８】図７の平面図である。
【図９】図７に示すカッター刃でテープを切断した状態を示す平面図である。
【図１０】従来例の模式図である。
【図１１】他の従来例の模式図である。
【符号の説明】
１４  被貼着面
１５  本体
１５１  係止凹部
１５２  案内面
１６  軸
１７  貼付ロール
１８  カバー
１８１  テープ押え板
１８２  ノブ
１８３  裏面
１８４  孔
１８５  孔
１９  ガイド
２０  摺動子
２１  ガイド孔
２２  圧縮バネ
２３  軸
２４  テープカッター部
２４１  枠体
２４２  カッター刃ホルダ
２４３  カッター刃
２４４  針
２４５  刃
２５  ガイド溝
２６  ガイド溝
２７  テープ
２７１  剥離紙
２７２  接着テープ
２８  部材
２９  棒材
２９１  ノブ
３０  マグネット
３１  ストッパ
３２  ガイド部材
３３  つまみ
【図１】
0003561850.tif 000002
【図２】
0003561850.tif 000003
【図３】
0003561850.tif 000004
【図４】
0003561850.tif 000005
【図５】
0003561850.tif 000006
【図６】
0003561850.tif 000007
【図７】
0003561850.tif 000008
【図８】
0003561850.tif 000009
【図９】
0003561850.tif 000010
【図１０】
0003561850.tif 000011
【図１１】
0003561850.tif 000012